(57)【特許請求の範囲】
【請求項１】
マルチモード移動局(MS)が第1および第2の無線アクセス技術(RAT)によって第1および第2のネットワークと通信するための方法であって、
1つまたは複数のページングパラメータの第1のセットを前記MSで判断するステップであって、前記1つまたは複数のページングパラメータの第1のセットは、ページングサイクルパラメータと、前記第1のネットワークのページング間隔が前記第2のネットワークのページング間隔と競合しないページングオフセットパラメータのセットからのページングオフセットパラメータとを含む、ステップと、
前記第1のネットワークの前記ページング間隔を確立したいという登録解除要求においてページングパラメータの前記第1のセットを前記MSから前記第1のネットワークの基地局に通信するステップであって、前記登録解除要求は、第1のページングサイクルの期間パラメータと、前記ページングオフセットパラメータと、前記第1のページングサイクルの期間パラメータおよび前記ページングオフセットパラメータが必須であるかどうかを示すビットとを含む、ステップと、
前記MSの無線周波数（RF）チェーンを同調して、前記第1のネットワークの基地局からのページング間隔においてページング信号を復号するステップと
を含む、方法。
【請求項２】
1つまたは複数のページングパラメータの前記第1のセットを判断するステップが、
前記第1および第2のネットワークのフレーム間のタイミング差オフセットを判断するステップと、
前記第2のネットワークのページングサイクルおよびページングオフセットを判断するステップと、
前記第2のネットワークの前記ページングサイクルに少なくとも部分的に基づいて前記第1のネットワークのページングサイクルを判断するステップと、
前記第1および第2のネットワークのフレーム間の前記タイミング差オフセットと、前記第2のネットワークの前記ページングオフセットとに少なくとも部分的に基づいて前記第1のネットワークのページングオフセットを判断するステップと
を含む、請求項1に記載の方法。
【請求項３】
前記第1のネットワークの前記ページングサイクルが、前記第2のネットワークの前記ページングサイクルの整数倍である、請求項2に記載の方法。
【請求項４】
1つまたは複数のページングパラメータの第1のセットを判断するステップが、
符号分割多元接続(CDMA)ページングサイクルのパラメータに基づいてWiMAXページングサイクルおよびWiMAXページングオフセットを判断するステップを含む、請求項1に記載の方法。
【請求項５】
1つまたは複数のページングパラメータの第1のセットを判断するステップが、
WiMAXページングサイクルの1つまたは複数のパラメータに基づいて符号分割多元接続(CDMA)ページングサイクルの制御チャネルサイクルを選択するステップを含む、請求項1に記載の方法。
【請求項６】
マルチモード移動局(MS)が第1および第2の無線アクセス技術(RAT)によって第1および第2のネットワークと通信するための装置であって、
1つまたは複数のページングパラメータの第1のセットを前記MSで判断し、
前記第1のネットワークの前記ページング間隔を確立したいという登録解除要求においてページングパラメータの前記第1のセットを前記MSから前記第1のネットワークの基地局に通信し、
前記MSの無線周波数（RF）チェーンを同調して、前記第1のネットワークの基地局からのページング間隔においてページング信号を復号する
ように構成された少なくとも１つのプロセッサと、
前記少なくとも1つのプロセッサに接続されたメモリと
を含み、前記1つまたは複数のページングパラメータの第1のセットは、ページングサイクルパラメータと、前記第1のネットワークのページング間隔が前記第2のネットワークのページング間隔と競合しないページングオフセットパラメータのセットからのページングオフセットパラメータとを含み、かつ、前記登録解除要求は、第1のページングサイクルの期間パラメータと、前記ページングオフセットパラメータと、前記第1のページングサイクルの期間パラメータおよび前記ページングオフセットパラメータが必須であるかどうかを示すビットとを含む、装置。
【請求項７】
前記少なくとも1つのプロセッサが、少なくとも部分的に、
前記第1および第2のネットワークのフレーム間のタイミング差オフセットを判断するステップと、
前記第2のネットワークのページングサイクルおよびページングオフセットを判断するステップと、
前記第2のネットワークの前記ページングサイクルに少なくとも部分的に基づいて前記第1のネットワークのページングサイクルを判断するステップと、
前記第1および第2のネットワークのフレーム間の前記タイミング差オフセットと、前記第2のネットワークの前記ページングオフセットとに少なくとも部分的に基づいて前記第1のネットワークのページングオフセットを判断するステップと
によって1つまたは複数のページングパラメータの前記第1のセットを判断する、請求項6に記載の装置。
【請求項８】
前記第1のネットワークの前記ページングサイクルが、前記第2のネットワークの前記ページングサイクルの整数倍である、請求項7に記載の装置。
【請求項９】
前記少なくとも1つのプロセッサが、少なくとも部分的に、
符号分割多元接続(CDMA)ページングサイクルのパラメータに基づいてWiMAXページングサイクルおよびWiMAXページングオフセットを判断するステップ
によって1つまたは複数のページングパラメータの第1のセットを判断する、請求項6に記載の装置。
【請求項１０】
前記少なくとも1つのプロセッサが、少なくとも部分的に、
WiMAXページングサイクルの1つまたは複数のパラメータに基づいて符号分割多元接続(CDMA)ページングサイクルの制御チャネルサイクルを選択するステップ
によって1つまたは複数のページングパラメータの第1のセットを判断する、請求項6に記載の装置。
【請求項１１】
マルチモード移動局(MS)が第1および第2の無線アクセス技術(RAT)によって第1および第2のネットワークと通信するための装置であって、
1つまたは複数のページングパラメータの第1のセットを前記MSで判断するための手段であって、前記1つまたは複数のページングパラメータの第1のセットは、ページングサイクルパラメータと、前記第1のネットワークのページング間隔が前記第2のネットワークのページング間隔と競合しないページングオフセットパラメータのセットからのページングオフセットパラメータとを含む、手段と、
前記第1のネットワークの前記ページング間隔を確立したいという登録解除要求においてページングパラメータの前記第1のセットを前記MSから前記第1のネットワークの基地局に通信するための手段であって、前記登録解除要求は、第1のページングサイクルの期間パラメータと、前記ページングオフセットパラメータと、前記第1のページングサイクルの期間パラメータおよび前記ページングオフセットパラメータが必須であるかどうかを示すビットとを含む、手段と、
前記MSの無線周波数（RF）チェーンを同調して、前記第1のネットワークの基地局からのページング間隔においてページング信号を復号する手段と
を含む、装置。
【請求項１２】
1つまたは複数のページングパラメータの前記第1のセットを判断するための前記手段が、
前記第1および第2のネットワークのフレーム間のタイミング差オフセットを判断するための手段と、
前記第2のネットワークのページングサイクルおよびページングオフセットを判断するための手段と、
前記第2のネットワークの前記ページングサイクルに少なくとも部分的に基づいて前記第1のネットワークのページングサイクルを判断するための手段と、
前記第1および第2のネットワークのフレーム間の前記タイミング差オフセットと、前記第2のネットワークの前記ページングオフセットとに少なくとも部分的に基づいて前記第1のネットワークのページングオフセットを判断するための手段と
を含む、請求項11に記載の装置。
【請求項１３】
前記第1のネットワークの前記ページングサイクルが、前記第2のネットワークの前記ページングサイクルの整数倍である、請求項12に記載の装置。
【請求項１４】
1つまたは複数のページングパラメータの第1のセットを判断するための前記手段が、
符号分割多元接続(CDMA)ページングサイクルのパラメータに基づいてWiMAXページングサイクルおよびWiMAXページングオフセットを判断するための手段を含む、請求項11に記載の装置。
【請求項１５】
1つまたは複数のページングパラメータの第1のセットを判断するための前記手段が、
WiMAXページングサイクルの1つまたは複数のパラメータに基づいて符号分割多元接続(CDMA)ページングサイクルの制御チャネルサイクルを選択するための手段を含む、請求項11に記載の装置。
【請求項１６】
マルチモード移動局(MS)が第1および第2の無線アクセス技術(RAT)によって第1および第2のネットワークと通信するためのコンピュータにより実行可能な命令を備えたコンピュータプログラムであって、前記命令が、
1つまたは複数のページングパラメータの第1のセットを前記MSで判断するための命令であって、前記1つまたは複数のページングパラメータの第1のセットは、ページングサイクルパラメータと、前記第1のネットワークのページング間隔が前記第2のネットワークのページング間隔と競合しないページングオフセットパラメータのセットからのページングオフセットパラメータとを含む、命令と、
前記第1のネットワークの前記ページング間隔を確立したいという登録解除要求においてページングパラメータの前記第1のセットを前記MSから前記第1のネットワークの基地局に通信するための命令あって、前記登録解除要求は、第1のページングサイクルの期間パラメータと、前記ページングオフセットパラメータと、前記第1のページングサイクルの期間パラメータおよび前記ページングオフセットパラメータが必須であるかどうかを示すビットとを含む、命令と、
前記MSの無線周波数（RF）チェーンを同調して、前記第1のネットワークの基地局からのページング間隔においてページング信号を復号する命令と
を含む、コンピュータプログラム。
【請求項１７】
1つまたは複数のページングパラメータの前記第1のセットを判断するための前記命令が、
前記第1および第2のネットワークのフレーム間のタイミング差オフセットを判断するための命令と、
前記第2のネットワークのページングサイクルおよびページングオフセットを判断するための命令と、
前記第2のネットワークの前記ページングサイクルに少なくとも部分的に基づいて前記第1のネットワークのページングサイクルを判断するための命令と、
前記第1および第2のネットワークのフレーム間の前記タイミング差オフセットと、前記第2のネットワークの前記ページングオフセットとに少なくとも部分的に基づいて前記第1のネットワークのページングオフセットを判断するための命令と
を含む、請求項16に記載のコンピュータプログラム。
【請求項１８】
前記第1のネットワークの前記ページングサイクルが、前記第2のネットワークの前記ページングサイクルの整数倍である、請求項16に記載のコンピュータプログラム。
【請求項１９】
1つまたは複数のページングパラメータの第1のセットを判断するための前記命令が、
符号分割多元接続(CDMA)ページングサイクルのパラメータに基づいてWiMAXページングサイクルおよびWiMAXページングオフセットを判断するための手段を含む、請求項16に記載のコンピュータプログラム。
【請求項２０】
1つまたは複数のページングパラメータの第1のセットを判断するための前記命令が、
WiMAXページングサイクルの1つまたは複数のパラメータに基づいて符号分割多元接続(CDMA)ページングサイクルの制御チャネルサイクルを選択するための命令を含む、請求項16に記載のコンピュータプログラム。
【発明の詳細な説明】
【技術分野】
【０００１】
本開示のいくつかの実施形態は、一般にワイヤレス通信に関し、より詳細には、マルチモード移動局がアイドルモードに入ることに関する。
【発明の概要】
【課題を解決するための手段】
【０００２】
いくつかの実施形態は、マルチモード移動局(MS)が第1および第2の無線アクセス技術(RAT)によって第1および第2のネットワークと通信するための方法を提供する。本方法は、概して、第2のネットワークのページング間隔と競合しない第1のネットワークのページング間隔を確立しようとして1つまたは複数のページングパラメータの第1のセットを判断するステップと、第1のネットワークの上記ページング間隔を確立したいという要求においてページングパラメータの第1のセットを第1のネットワークの基地局に通信するステップとを含む。
【０００３】
いくつかの実施形態は、マルチモード移動局(MS)が第1および第2の無線アクセス技術(RAT)によって第1および第2のネットワークと通信するための装置を提供する。本装置は、概して、第2のネットワークのページング間隔と競合しない第1のネットワークのページング間隔を確立しようとして1つまたは複数のページングパラメータの第1のセットを判断するための論理と、第1のネットワークの上記ページング間隔を確立したいという要求においてページングパラメータの第1のセットを第1のネットワークの基地局に通信するための論理とを含む。
【０００４】
いくつかの実施形態は、マルチモード移動局(MS)が第1および第2の無線アクセス技術(RAT)によって第1および第2のネットワークと通信するための装置を提供する。本装置は、概して、第2のネットワークのページング間隔と競合しない第1のネットワークのページング間隔を確立しようとして1つまたは複数のページングパラメータの第1のセットを判断するための手段と、第1のネットワークの上記ページング間隔を確立したいという要求においてページングパラメータの第1のセットを第1のネットワークの基地局に通信するための手段とを含む。
【０００５】
いくつかの実施形態は、1つまたは複数のプロセッサによって実行可能な命令を記憶したコンピュータ可読媒体を含む、マルチモード移動局(MS)が第1および第2の無線アクセス技術(RAT)によって第1および第2のネットワークと通信するためのコンピュータプログラム製品を提供する。上記命令は、概して、第2のネットワークのページング間隔と競合しない第1のネットワークのページング間隔を確立しようとして1つまたは複数のページングパラメータの第1のセットを判断するための命令と、第1のネットワークの上記ページング間隔を確立したいという要求においてページングパラメータの第1のセットを第1のネットワークの基地局に通信するための命令とを含む。
【０００６】
これらの概要パラグラフ内で提示した実施形態など、本明細書で提示するいくつかの実施形態では、第1および第2のRATのうちの少なくとも1つは、米国電気電子技術者協会(IEEE)802.16規格ファミリーのうちの1つまたは複数の規格によるRATを含む。
【０００７】
これらの概要パラグラフ内で提示した実施形態など、本明細書で提示するいくつかの実施形態では、第1および第2のRATのうちの少なくとも1つは符号分割多元接続(CDMA)RATを含む。
【０００８】
本開示の上述の特徴を詳細に理解することができるように、その一部を添付の図面に示す実施形態を参照することによって、上記で簡単に要約したより具体的な説明を得ることができる。ただし、その説明は他の等しく有効な実施形態に通じ得るので、添付の図面は、本開示のいくつかの典型的な実施形態のみを示し、したがって、本開示の範囲を限定するものと見なすべきではないことに留意されたい。
【図面の簡単な説明】
【０００９】
【図１】本開示のいくつかの実施形態による例示的なワイヤレス通信システムを示す図である。
【図２】本開示のいくつかの実施形態による、ワイヤレスデバイスにおいて利用され得る様々な構成要素を示す図である。
【図３】本開示のいくつかの実施形態による、直交周波数分割多重および直交周波数分割多元接続(OFDM/OFDMA)技術を利用するワイヤレス通信システム内で使用され得る例示的な送信機と例示的な受信機とを示す図である。
【図４】符号分割多元接続(CDMA)1xネットワーク上にオーバーレイされた例示的なWiMAXネットワークを示す図である。
【図５】CDMAページングサイクルの構成要素の一部を示す図である。
【図６】WiMAXページングサイクルの構成要素の一部を示す図である。
【図７】WiMAXページング間隔を構成するための例示的な動作を示す図である。
【図７Ａ】図7の例示的な動作に対応する手段のブロック図である。
【図８】WiMAXフレーミングとCDMA 1xフレーミングとの間のタイミングオフセットを示す図である。
【図９Ａ】CDMAページング間隔との競合が回避されるようなWiMAXページングサイクルの構成を示す図である。
【図９Ｂ】CDMAページング間隔との競合が回避されるようなWiMAXページングサイクルの構成を示す図である。
【図９Ｃ】CDMAページング間隔との競合が回避されるようなWiMAXページングサイクルの構成を示す図である。
【図１０】マルチモード移動局と、異なる無線アクセス技術の2つの基地局との間の例示的な交換を示す図である。
【図１１Ａ】CDMA EVDO制御チャネルサイクルの構成要素を示す図である。
【図１１Ｂ】CDMA EVDO制御チャネルサイクルの構成要素を示す図である。
【図１２】CDMA EVDOページング間隔を構成するための例示的な動作を示す図である。
【図１２Ａ】図12の例示的な動作に対応する手段のブロック図である。
【図１３】CDMAスロットによって参照されるWiMAXリスニング間隔を示す図である。
【図１４】WiMAXページング間隔との競合を回避するための例示的なCDMA EVDO構成を示す図である。
【図１５】マルチモード移動局と、異なる無線アクセス技術の2つの基地局との間の例示的な交換を示す図である。
【発明を実施するための形態】
【００１０】
IEEE802.16規格ファミリーに準拠するシステムなど、直交周波数分割多重(OFDM)および直交周波数分割多元接続(OFDMA)ワイヤレス通信システムは、一般に、複数のサブキャリアの周波数の直交性に基づいて、そのシステムにおいてサービスに登録されたワイヤレスデバイス(すなわち、移動局)と通信するために基地局のネットワークを使用しており、マルチパスフェージングおよび干渉に対する抵抗など、広帯域ワイヤレス通信のためのいくつかの技術的利点を達成するために実装され得る。各基地局(BS)は、移動局(MS)との間でデータを搬送する無線周波数(RF)信号を送り、受信する。
【００１１】
加入者にとって利用可能なサービスを拡張するために、一部のMSは、複数の無線アクセス技術(RAT)を用いた通信をサポートする。たとえば、マルチモードMSが、ブロードバンドデータサービスの場合はWiMAXをサポートし、ボイスおよびデータサービスの場合は符号分割多元接続(CDMA)をサポートし得る。
【００１２】
複数のRATをサポートすることの結果として、マルチモードMSは、CDMAネットワークとWiMAXネットワークの両方においてアイドルモードにあることがある場合があり得る。これにより、そのMSは、両方のネットワークにおいてページングメッセージをリッスンする必要があり得る。残念ながら、単一のRFチェーンをもつマルチモードMSは、一度に1つのシステムのみをリッスンし得る。
【００１３】
本開示の実施形態では、たとえば、WiMAX無線アクセス技術(RAT)とCDMA RATの両方をサポートするマルチモード移動局(MS)が、それらのRATのページング間隔の間の競合を回避するようにして、それらのRATのうちの1つのページングサイクルを構成でき得る。詳細には、実施形態は、マルチモードMSが、第1のRATのページングサイクルおよびページングオフセットを判断することと、第2のRATのページング間隔が第1のRATのページング間隔と競合しないように第2のRATのページングサイクルの持続時間とページングオフセットとを構成することとを可能にする、方法および装置を提供し得る。
【００１４】
例示的なワイヤレス通信システム
本明細書で説明する技法は、直交多重化方式に基づく通信システムを含む、様々なブロードバンドワイヤレス通信システムに使用され得る。そのような通信システムの例には、直交周波数分割多元接続(OFDMA)システム、シングルキャリア周波数分割多元接続(SC-FDMA)システムなどがある。OFDMAシステムは、全システム帯域幅を複数の直交サブキャリアに区分する変調技法である、直交周波数分割多重(OFDM)を利用する。これらのサブキャリアは、トーン、ビンなどと呼ばれることもある。OFDMでは、各サブキャリアはデータで独立して変調され得る。SC-FDMAシステムは、システム帯域幅にわたって分散されたサブキャリア上で送信するためのインターリーブされたFDMA(IFDMA)、隣接するサブキャリアのブロック上で送信するための局所FDMA(LFDMA)、または隣接するサブキャリアの複数のブロック上で送信するための拡張FDMA(EFDMA)を利用し得る。一般に、変調シンボルは、OFDMでは周波数領域で、SC-FDMAでは時間領域で送信される。
【００１５】
直交多重化方式に基づく通信システムの一例はWiMAXシステムである。Worldwide Interoperability for Microwave Accessを表すWiMAXは、長距離にわたる高いスループットブロードバンド接続を与える、規格ベースのブロードバンドワイヤレス技術である。現在、WiMAXの2つの主要な適用例、すなわち固定WiMAXとモバイルWiMAXとがある。固定WiMAX適用例は、たとえば、家庭および企業でのブロードバンドアクセスを可能にするポイントツーマルチポイントである。モバイルWiMAXは、OFDMおよびOFDMAに基づき、ブロードバンド速度でのセルラーネットワークのフルモビリティを提供する。
【００１６】
IEEE802.16xは、固定およびモバイルブロードバンドワイヤレスアクセス(BWA)システムのためのエアインターフェースを定義する新興の規格組織である。これらの規格は、少なくとも4つの異なる物理レイヤ(PHY)および1つの媒体アクセス制御(MAC)レイヤを定義している。4つの物理レイヤのうちのOFDMおよびOFDMA物理レイヤは、それぞれ固定およびモバイルBWA領域において最も一般的である。
【００１７】
図1に、本開示の実施形態が採用され得るワイヤレス通信システム100の一例を示す。ワイヤレス通信システム100は、ブロードバンドワイヤレス通信システムであり得る。ワイヤレス通信システム100は、いくつかのセル102に通信を与え得、各セルは基地局104によってサービスされる。基地局104は、ユーザ端末106と通信する固定局であり得る。基地局104は、代替的に、アクセスポイント、ノードB、または何らかの他の用語で呼ばれることがある。
【００１８】
図1は、システム100全体に散在する様々なユーザ端末106を示す。ユーザ端末106は固定(すなわち、静止)でも移動でもよい。ユーザ端末106は、代替的に、リモート局、アクセス端末、端末、加入者ユニット、移動局、局、ユーザ機器などと呼ばれることがある。ユーザ端末106は、セルラー電話、携帯情報端末(PDA)、ハンドヘルドデバイス、ワイヤレスモデム、ラップトップコンピュータ、パーソナルコンピュータなど、ワイヤレスデバイスであり得る。
【００１９】
基地局104とユーザ端末106との間の、ワイヤレス通信システム100における送信のために、様々なアルゴリズムおよび方法が使用され得る。たとえば、OFDM/OFDMA技法に従って、基地局104とユーザ端末106との間で信号が送信および受信され得る。この場合、ワイヤレス通信システム100はOFDM/OFDMAシステムと呼ばれることがある。
【００２０】
基地局104からユーザ端末106への送信を可能にする通信リンクはダウンリンク108と呼ばれることがあり、ユーザ端末106から基地局104への送信を可能にする通信リンクはアップリンク110と呼ばれることがある。代替的に、ダウンリンク108は順方向リンクまたは順方向チャネルと呼ばれることがあり、アップリンク110は逆方向リンクまたは逆方向チャネルと呼ばれることがある。
【００２１】
セル102は複数のセクタ112に分割され得る。セクタ112は、セル102内の物理的カバレージエリアである。ワイヤレス通信システム100内の基地局104は、セル102の特定のセクタ112内の電力の流れを集中させるアンテナを利用し得る。そのようなアンテナは指向性アンテナと呼ばれることがある。
【００２２】
図2に、ワイヤレス通信システム100内で採用され得るワイヤレスデバイス202において利用され得る様々な構成要素を示す。ワイヤレスデバイス202は、本明細書で説明する様々な方法を実装するように構成され得るデバイスの一例である。ワイヤレスデバイス202は基地局104またはユーザ端末106であり得る。
【００２３】
ワイヤレスデバイス202は、ワイヤレスデバイス202の動作を制御するプロセッサ204を含み得る。プロセッサ204は中央処理装置(CPU)と呼ばれることもある。読取り専用メモリ(ROM)とランダムアクセスメモリ(RAM)の両方を含み得るメモリ206は、命令とデータとをプロセッサ204に与える。メモリ206の一部分は不揮発性ランダムアクセスメモリ(NVRAM)をも含み得る。プロセッサ204は一般に、メモリ206内に記憶されたプログラム命令に基づいて、論理および演算動作を実行する。メモリ206中の命令は、本明細書で説明する方法を実装するように実行可能であることがある。
【００２４】
ワイヤレスデバイス202は、ワイヤレスデバイス202と遠隔ロケーションとの間のデータの送信および受信を可能にするために送信機210と受信機212とを含み得るハウジング208をも含み得る。送信機210と受信機212とを組み合わせてトランシーバ214を形成し得る。アンテナ216は、ハウジング208に取り付けられ、トランシーバ214に電気的に結合され得る。ワイヤレスデバイス202は、複数の送信機、複数の受信機、複数のトランシーバ、および/または複数のアンテナ(図示せず)をも含み得る。
【００２５】
ワイヤレスデバイス202は、トランシーバ214によって受信された信号のレベルを検出および定量化しようとして使用され得る信号検出器218をも含み得る。信号検出器218は、総エネルギー、シンボルごとのサブキャリア当たりのエネルギー、電力スペクトル密度および他の信号などの信号を検出し得る。ワイヤレスデバイス202は、信号を処理する際に使用するためのデジタル信号プロセッサ(DSP)220をも含み得る。
【００２６】
ワイヤレスデバイス202の様々な構成要素は、データバスに加えて、電力バス、制御信号バス、およびステータス信号バスを含み得るバスシステム222によって互いに結合され得る。
【００２７】
図3に、OFDM/OFDMAを利用するワイヤレス通信システム100内で使用され得る送信機302の一例を示す。送信機302の部分は、ワイヤレスデバイス202の送信機210中に実装され得る。送信機302は、ダウンリンク108上でデータ306をユーザ端末106に送信するために基地局104中に実装され得る。送信機302は、アップリンク110上でデータ306を基地局104に送信するためにユーザ端末106中にも実装され得る。
【００２８】
送信されるデータ306は、直並列(S/P)変換器308に入力として供給されるものとして示してある。S/P変換器308は送信データをN個の並列データストリーム310に分割し得る。
【００２９】
次いで、N個の並列データストリーム310はマッパー312に入力として供給され得る。マッパー312は、N個の並列データストリーム310をN個のコンスタレーションポイントにマッピングし得る。マッピングは、2値位相シフトキーイング(BPSK)、4位相シフトキーイング(QPSK)、8位相シフトキーイング(8PSK)、直交振幅変調(QAM)など、何らかの変調コンスタレーションを使用して行われ得る。したがって、マッパー312は、それぞれ逆高速フーリエ変換(IFFT)320のN個の直交サブキャリアのうちの1つに対応する、N個の並列シンボルストリーム316を出力し得る。これらのN個の並列シンボルストリーム316は、周波数領域において表されて、IFFT構成要素320によってN個の並列時間領域サンプルストリーム318に変換され得る。
【００３０】
次に、用語に関する簡単な注釈を与える。周波数領域におけるN個の並列変調は、周波数領域におけるN個の変調シンボルに等しく、これは、周波数領域におけるNマッピングおよびNポイントIFFTに等しく、これは、時間領域における1つの(有用な)OFDMシンボルに等しく、これは、時間領域におけるN個のサンプルに等しい。時間領域における1つのOFDMシンボル、Nsは、Ncp(OFDMシンボル当たりのガードサンプル数)+N(OFDMシンボル当たりの有用なサンプル数)に等しい。
【００３１】
N個の並列時間領域サンプルストリーム318は、並直列(P/S)変換器324によって、OFDM/OFDMAシンボルストリーム322に変換され得る。ガード挿入構成要素326は、OFDM/OFDMAシンボルストリーム322中の連続したOFDM/OFDMAシンボル間にガードインターバルを挿入し得る。次いで、ガード挿入構成要素326の出力は、無線周波数(RF)フロントエンド328によって、所望の送信周波数帯域にアップコンバートされ得る。次いで、アンテナ330は、得られた信号332を送信し得る。
【００３２】
図3に、OFDM/OFDMAを利用するワイヤレスデバイス202内で使用され得る受信機304の一例をも示す。受信機304の部分は、ワイヤレスデバイス202の受信機212中に実装され得る。受信機304は、ダウンリンク108上で基地局104からデータ306を受信するためにユーザ端末106中に実装され得る。受信機304は、アップリンク110上でユーザ端末106からデータ306を受信するために基地局104中にも実装され得る。
【００３３】
送信された信号332は、ワイヤレスチャネル334上を移動するものとして示してある。信号332'がアンテナ330'によって受信されると、受信された信号332'はRFフロントエンド328'によってベースバンド信号にダウンコンバートされ得る。次いで、ガード除去構成要素326'は、ガード挿入構成要素326によってOFDM/OFDMAシンボル間に挿入されたガードインターバルを除去し得る。
【００３４】
ガード除去構成要素326'の出力はS/P変換器324'に供給され得る。S/P変換器324'は、OFDM/OFDMAシンボルストリーム322'を、それぞれN個の直交サブキャリアのうちの1つに対応するN個の並列時間領域シンボルストリーム318'に分割し得る。高速フーリエ変換(FFT)構成要素320'は、N個の並列時間領域シンボルストリーム318'を周波数領域に変換し、N個の並列周波数領域シンボルストリーム316'を出力し得る。
【００３５】
デマッパー312'は、マッパー312によって実行されたシンボルマッピング動作の逆を実行し、それによって、N個の並列データストリーム310'を出力し得る。P/S変換器308'は、N個の並列データストリーム310'を単一のデータストリーム306'に合成し得る。理想的には、このデータストリーム306'は、送信機302に入力として供給されたデータ306に対応する。要素308'、310'、312'、316'、320'、318'および324'は、すべてベースバンドプロセッサ340'上で発見され得ることに留意されたい。
【００３６】
マルチモード移動局の例示的なアイドルモード動作
前述のように、ワイヤレスサービスの展開において、モバイルデバイスは、複数のサービスへのエンドユーザアクセスを行うために、異なる無線アクセス技術(RAT)をサポートし得る。たとえば、マルチモードMSが、ブロードバンドデータサービスの場合はWiMAXをサポートし、ボイスおよびデータサービスの場合は符号分割多元接続(CDMA)をサポートし得る。これにより、マルチモードMSは、CDMAネットワークとWiMAXネットワークの両方においてアイドルモードにあることがある場合があり得るので、そのMSは、両方のネットワークにおいてページングメッセージをリッスンする必要がある。
【００３７】
残念ながら、単一のRFチェーンをもつマルチモードMSは、一度に1つのシステムのみをリッスンし得、また、CDMAネットワークおよびWiMAXネットワークが、それらのそれぞれのページング間隔の重複を防ぐように自然に構成される確率は、極めて低い。したがって、単一のRFチェーンをもつ従来のMSは、そのサポートされるネットワークのページング間隔の間の競合により、前記ネットワークのうちの少なくとも1つの1つまたは複数のページング間隔を逃し得る場合があり得る。
【００３８】
その上、CDMAチャネルアクセス方法を採用する少なくとも2つの別個のRATがある。たとえば、一部のボイスサービスは、CDMA「1x無線伝送技術(1 times radio transmission technology)」、またはCDMA 1x技術を採用し得、他のボイスおよびデータサービスは、CDMA「エボリューション-データ最適化(Evolution-Data Optimized)」技術、またはCDMA EVDO技術を採用し得る。残念ながら、1x技術およびEVDO技術は、MSと対応するBSとの間の交渉のために利用可能なアイドルモードパラメータに関して異なる。これらの差の結果については、本開示で後に詳述する。
【００３９】
しかしながら、本開示の実施形態では、マルチモードMSは、あるRATのページング間隔が他のサポートされるRATのページング間隔と競合しないように、MSとそれらのRATのうちの1つまたは複数との間のページングサイクルを構成でき得る。
【００４０】
図4に、ブロードバンドデータサービスとボイスサービスの両方を提供するために同期モバイルWiMAXネットワーク410がCDMAネットワーク420と結合され得る(またはCDMAネットワーク420上に「オーバーレイ」され得る)、例示的なシステム400を示す。
【００４１】
図4は、さらに、複数のハードウェアおよびソフトウェア構成要素によって、ある地理的エリアにCDMAサービスが提供され得ることを示す。この地理的エリアは、サービスタワー440を中心とした、セルと呼ばれる領域に分割され得る。空間効率を高めようとして、単一のサービスタワー440は複数のRATをサポートし得る。たとえば、サービスタワー440はWiMAX基地局(BS)414とCDMA BS424の両方をサポートし得る。
【００４２】
CDMA 1xおよびWiMAXオーバーレイネットワークにおける例示的なマルチモード移動局
同期WiMAXネットワーク410では、フレーム境界が複数の基地局の間で同期しており、また、24ビットフレーム番号が複数の基地局の間で維持される。
【００４３】
CDMA 1xネットワークでは、WiMAXネットワークの場合のように、アイドルモードにあるMS430は、いくつかの反復ページング間隔をリッスンし得る。図5に、80msページングチャネル(PCH)間隔510をリッスンすることと、それに先行して100ms高速ページングチャネル(QPCH)間隔520をリッスンすることとからなるCDMAページングリスニング間隔500を示す。したがって、MS430は、ページングサイクルごとに180msの時間間隔の間、ページングメッセージをリッスンする必要があり得る。本開示の実施形態は、式1を採用し、PCH間隔の開始CDMAシステム時間tについて解くことによって、20msフレーム単位で、tを判断し得る。
t mod[64*2SLOT_CYCLE_INDEX]=Paging_OffsetCDMA、(1)
上式で、Paging_OffsetCDMAは、国際モバイル加入者識別情報(IMSI)の関数であるPGSLOT値の4倍であるものとして表され得る。式1では、関数「mod」またはx modular yは、xをyで除算した剰余によって定義される。ただし、QPCHを考慮するために、MSは、tの5フレーム前にページングメッセージをリッスンし始め得る。
【００４４】
さらに、上記のパラメータSLOT_CYCLE_INDEXは、0と7との間の任意の整数値であり得、ページングリスニング間隔500と非ページング間隔とからなるページングサイクルの長さを判断するためにMS430によって使用され得る。詳細には、MSは、SLOT_CYCLE_INDEXを選択し、それを式2の適用例、すなわち、
Paging_Cycle=1.28*2SLOT_CYCLE_INDEX(sec)、(2)
において採用して、ページングサイクルの長さを判断し得る。ただし、CDMA BS424は、システムパラメータメッセージ中でSLOT_CYCLE_INDEXの最大値をブロードキャストすることによってSLOT_CYCLE_INDEXの最大値を制限し得ることに留意されたい。
【００４５】
CDMA 1xネットワーク420中のMS430と同様に、WiMAXネットワーク410のアイドルモードにあるMS430は、図6に示すように、いくつかの反復ページング間隔においてページングメッセージをリッスンし得る。ただし、CDMA 1xネットワークの場合とは異なり、IEEE802.16規格は、WiMAXネットワーク410においては高速ページングチャネルを与えない。したがって、WiMAXフレーム番号NからBSブロードキャストページ広告(MOB_PAG-ADV)メッセージの開始を判断した後、式3、すなわち、
N mod[Paging_Cycle]=Paging_OffsetWiMAX、(3)
によって表されるように、MS430はQPCHを考慮する必要がないことがある。代わりに、ページングリスニング間隔600の持続時間は、フレーム番号Nの後の最大5フレームに制限され得る。
【００４６】
残念ながら、現在のIEEE802.16規格は、MS430が登録解除要求(DREG-REQ)を介してページングサイクルをWiMAX BSに提案し得るにすぎないように、MS430を制限する。MS430がアイドルモードに入るより前に、登録解除コマンド(DREG-CMD)を介してページングオフセット、ページング間隔長さ、およびページングサイクルをそのMSに割り当てることは、WiMAX BSに委ねられ得る。
【００４７】
しかしながら、本開示のいくつかの実施形態は、MS430が、ページングサイクルとともに、16ビットページングオフセット、ならびに提案されたパラメータをWiMAX BSが変更し得るか否かを示すビットフラグを含むことを可能にし得る、拡張DREG-REQを提供し得る。これにより、MS430は、WiMAXページングリスニング間隔600とCDMA 1xページングリスニング間隔500との間の競合を防ぐようにしてWiMAXページング間隔を構成でき得る。WiMAXページングリスニング間隔600とCDMA 1xページングリスニング間隔500との間の競合を防ぐことによって、単一のRFチェーンをもつマルチモードMS430は、両方のシステムにおけるページングリスニング間隔をうまくリッスンすることが可能になり得る。
【００４８】
図7に、本開示のいくつかの実施形態による、たとえば、マルチモードMS430が単一のRFチェーンを用いてCDMA 1x RATとWiMAX RATの両方をリッスンすることを可能にするようにして、WiMAXページングサイクルを構成するための、MS430によって実行され得る、例示的な動作700を示す。動作700は、たとえば、MSが、競合のない、両方のRATのページングリスニング間隔を監視することを可能にしようとして、MSによって実行され得る。
【００４９】
動作は702において開始し、マルチモードMS430が、WiMAXフレームの開始とCDMAフレームの開始との間のタイミングオフセットを測定する。そのようなオフセットは、図8に、フレーム番号N810の任意のWiMAXフレームの開始と、(フレーム番号において)CDMAシステム時間t812の対応するCDMAフレームの開始との間のT_offset800として示されている。CDMAフレームタイミングを測定するために、MS430は、WiMAXネットワークからCDMAネットワークに切り替わるための走査間隔を必要とし得る。タイミングオフセットを測定しながら、マルチモードMS430はまた、WiMAXフレーム番号とCDMAフレームにおけるCDMAシステム時間とを判断し得る。WiMAXフレーム(T_wm_frame)は、CDMAフレームよりも短い持続時間を有し得ることに留意されたい。たとえば、従来のCDMAフレームは20ミリ秒の持続時間を有し得、相当するWiMAXフレームは5ミリ秒であり得る。
【００５０】
704において、マルチモードMS430は、前に計算されたタイミングオフセットに基づいて、WiMAXリスニング間隔とCDMAリスニング間隔との間の衝突を防ぐWiMAXパラメータのセット(たとえば、ページングサイクルおよびページングオフセット)を判断する。
【００５１】
WiMAXページングパラメータのセットを判断した後、706において、MS430は、WiMAXページング間隔600がCDMA 1xネットワークのページング間隔と競合しないようにWiMAXページングサイクルをスケジュールするためにDREG-REQメッセージを送信する。本開示のいくつかの実施形態によれば、DREG-REQは、WiMAXページングパラメータのセット(たとえば、ページングサイクルおよびページングオフセット)を含んでいることがある。
【００５２】
その後、MS430は、アイドルモードに入り、起動し、両方のネットワークのページングスケジュールに従って適切なネットワークをリッスンし得る。MS430はまた、早期に起動し、どちらのネットワークのページング間隔が開始しようとしているとしても、そのページング間隔に同調して、RFチェーンを同調させ、そのページング間隔においてページングメッセージを復号し得る。
【００５３】
CDMAリスニング間隔と衝突しないWiMAXリスニング間隔を確立するために、MSは、CDMA 1xネットワーク420との前の交換からの情報を利用し得る。たとえば、これらの交換から、MS430は、CDMA 1xページングサイクルパラメータSLOT_CYCLE_INDEXを知り得る。SLOT_CYCLE_INDEXから、MS430は、式4、すなわち、
【００５４】
【数１】
0005319791.tif 000002
【００５５】
を採用して、WiMAXフレームの数において、CDMA 1xページングサイクルの持続時間を判断し得る。
【００５６】
本開示の実施形態は、WiMAXページングサイクルの期間が、CDMA 1xページングサイクルの倍数であるか、CDMA 1xページングサイクルに均等に分けられるか、またはCDMA 1xページングサイクルに等しいかのいずれかになるように、WiMAXページングサイクルを構成することを示唆する。式5a〜式5c、すなわち、
PAGING_CYCLEWiMAX=K*PAGING_CYCLECDMA_1x、(5a)
【００５７】
【数２】
0005319791.tif 000003
【００５８】
PAGING_CYCLEWiMAX=PAGING_CYCLECDMA_1x、(5c)
は、それらの3つの示唆される関係を表し得、上式で、KおよびLは、他のWiMAXアイドルモード動作を考慮に入れ得る正の整数である。たとえば、いくつかの実施形態では、KおよびLは、ダウンリンク(DL)データの受信の遅延、電力節約考慮事項などに依存し得る。また、理想的な一実施形態では、Lは、CDMA 1xページングサイクルに均等に分けられ得ることに留意されたい。
【００５９】
CDMAネットワークに登録した後、MS430は、CDMA 1xページングオフセットパラメータのセットの値を知り得る。したがって、いくつかの実施形態では、MS430は、式6、すなわち、
【００６０】
【数３】
0005319791.tif 000004
【００６１】
を採用して、WiMAX基準点N810と次のCDMA 1xページング間隔510の開始との間の、WiMAXフレームにおける、オフセットDを判断し得、上式で、M=(4*PGSLOT-t)mod64*2Slot_Cycle_Indexである。いくつかの実施形態では、Mは、タイミング基準時間tと、次回のCDMA 1x PCHページング間隔の開始との間に経過し得るCDMAフレームの数を表すものと解釈され得る。
【００６２】
WiMAXページングサイクル、ならびにWiMAX基準点N810とCDMA 1x PCHページング間隔の開始との間のオフセットDを判断した後、MS430は、WiMAXページング間隔600がCDMA 1xページング間隔500との競合を回避することを可能にする、WiMAXページングオフセットを判断し得る。WiMAXページングオフセットを判断するために、本開示の実施形態は、WiMAXページングサイクルの期間とCDMA 1xページングサイクルの期間との間の固有の関係を考慮するための複数の式のうちの1つまたは複数を採用し得る。
【００６３】
たとえば、図9Aに、WiMAXページングサイクルの期間がCDMA 1xページングサイクルの期間の倍数Kである場合を示す。本例では、WiMAXページングサイクルの期間は、CDMA 1xページングサイクルの期間の2倍の長さである(すなわち、K=2)。従来、WiMAXページングオフセットは、WiMAXページングサイクル中のフレームの数に等しい値の範囲を有し得る。しかしながら、MS430は、WiMAXページング間隔がCDMA 1xページング間隔と競合しないようにWiMAXページングオフセットを選択することを試みている。
【００６４】
したがって、本開示の実施形態は、WiMAXオフセット値のセットAを判断する際に、このアイデアを利用し得る。WiMAXページングサイクルの期間がCDMA 1xページングサイクルの期間の倍数Kである場合は、MS430が選択し得るWiMAXオフセット値のセットAは、式7によって表され得る。
A={u+v*P}、(7)
上式で、uは、以下で説明する、ページングオフセット値のサブセットA0であり、vは、0以上K-1以下の範囲の数字のセットであり、Pは、式9で説明する、WiMAXページングサイクルとCDMA 1xページングサイクルとの最小値である。
【００６５】
いくつかの実施形態では、ページングオフセット値のサブセットA0は、式8によって表され得る。
A0={i mod P、(i+1)mod P、(i+2)mod P、...、j mod P}、(8)
上式で、Pは式9で表され、iは開始番号であり、jは終了番号である。いくつかの実施形態は、式9を採用することによってPを判断し得る。
P=PAGING_CYCLEWiMAX/K。(9)
【００６６】
さらに、実施形態は、式10および式11を採用することによって、それぞれ開始番号iおよび終了番号jを判断し得る。
【００６７】
【数４】
0005319791.tif 000005
【００６８】
j=N+D-5-CEILING[max(T_tuneCDMA_1x,T_offset)-T_offset]。(11)
【００６９】
式11は項「-5」を有し得ることに留意されたい。この項は、最高5フレームであり得るWiMAXページング間隔600を考慮するものである。さらに、T_tuneCDMA_1xは、MS430が、CDMA 1xページング信号を復号する前にCDMA 1xネットワークに同調するために必要とし得る時間を表す。同様に、T_tunewmxは、MS430が、WiMAXページング信号を復号する前にWiMAXネットワークに同調するために必要とし得る時間を表す。
【００７０】
さらに、図9Bに示すように、WiMAXページングサイクルの期間がCDMA 1xページングサイクルに均等に分けられる場合は、MS430が選択し得るWiMAXオフセット値のセットAは、式12によって表され得る。
A={i mod P、(i+1)mod P、(i+2)mod P、...、j mod P}、(12)
上式で、Pは式(13)で表され、iは開始番号であり、jは終了番号である。いくつかの実施形態は、式13を採用することによってPを判断し得る。
P=PAGING_CYCLEWiMAX。(13)
【００７１】
さらに、実施形態は、式10および式11を採用することによって、それぞれ開始番号iおよび終了番号jを判断し得る。
【００７２】
その上、図9Cに示すように、WiMAXページングサイクルの期間がCDMA 1xページングサイクルに等しい場合は、MS430が選択し得るWiMAXオフセット値のセットAは、式14によって表され得る。
A={i mod P、(i+1)mod P、(i+2)mod P、...、j mod P}、(14)
上式で、Pは式(15)で表され、iは開始番号であり、jは終了番号である。いくつかの実施形態は、式15を採用することによってPを判断し得る。
P=PAGING_CYCLEWiMAX。(15)
【００７３】
さらに、実施形態は、式10および式11を採用することによって、それぞれ開始番号iおよび終了番号jを判断し得る。
【００７４】
要するに、MS430は、上記で説明したように、CDMA 1xページングサイクルに対するWiMAXページングサイクルの構成に基づいて、WiMAXオフセット値のセットAからWiMAXページングオフセット値を選定し得る。いくつかの実施形態では、セットAから選定されるWiMAXページングオフセットは、セットからの中央の数字であり得る。たとえば、MS430は、値{2、3、4、5、6}を含むWiMAXページングオフセット値のセットAからページングオフセット値「4」を選択し得る。ただし、MS430は、そのセットの最初または最後からもページングオフセットを選択し得る。これは、たとえば、2つのネットワークからのページング間隔を連結するために行われ得る。
【００７５】
図10に、MS430と、CDMA 1x BS424と、WiMAX BS414との間で起こり得るプロシージャを要約する。プロシージャは、呼が切断した後など、MS430がCDMA 1x BS424とのアイドル状態に入った(1010)ときに、開始する。MS430は、周期的CDMA 1xページング間隔500をもつページングサイクルを確立することができる。
【００７６】
次いで、MS430は、1020において、WiMAXページング間隔600が、確立されたCDMA 1xページング間隔500と競合しないように、WiMAXページングパラメータのセット(たとえば、ページングサイクルおよびページングオフセット)を判断する。WiMAXページングサイクルおよびWiMAXページングオフセットを判断することに関連する方法およびプロシージャは、704において説明した動作と対応し得ることに留意されたい。
【００７７】
WiMAXページング間隔600がCDMA 1xページング間隔500と競合しないようにWiMAXページングパラメータのセットを判断した後、MS430は、WiMAXページングパラメータのセットを含むDREG-REQ1030をWiMAX BS414に送信し得る。さらに、DREG-REQは、いくつかの実施形態によれば、WiMAXページングパラメータの必須または随意の性質を示すフラグを含み得る。それに応答して、WiMAX BS414は、MS430のDREG-REQを確認するDREG-CMD1040を送信し得る。
【００７８】
今やCDMA 1xネットワークとWiMAXネットワークの両方に対してアイドルモードにある、MS430は、両方のネットワークのページングサイクルに従って起動し得る。さらに、MS430は、起動し、サービングBSに関する変化を検出することが可能であり得る。この場合、MS430は、他のネットワークのページング間隔をリッスンするために、切り替わることなしに、その新しいBSにとどまる必要があり得る。これは、新しいシステムオーバーヘッド情報、すなわち、CDMAネットワークにおけるシステムパラメータメッセージ、またはWiMAXネットワークにおけるダウンリンクチャネル記述子(DCD)およびアップリンクチャネル記述子(UCD)を収集するために行われ得る。新しいシステムオーバーヘッド情報を収集した後、MS430は、CDMA 1xネットワークとWiMAXネットワークとの定期的デュアルページング間隔スケジュールを再開し得る。
【００７９】
また、本開示の実施形態は、MS430が、CDMAネットワークおよびWiMAXネットワークにおける登録またはロケーション更新パフォーマンス要件のすべてを維持することに干渉しないことがあることに留意されたい。たとえば、周期登録タイマーが満了した場合、MS430は、必要な場合は、デュアルページングスケジュールを中断すると同時に登録を実行するために他のネットワークに直ちに切り替わり得る。ただし、登録が完了した後、デュアルページングリスニング間隔は再開し得る。
【００８０】
CDMA EVDO&WiMAXオーバーレイネットワークにおける例示的なマルチモード移動局
前に説明したように、CDMAチャネルアクセス方法を採用する少なくとも2つの別個のRATがある。前に説明した実施形態は、CDMA 1xネットワークが同期WiMAXネットワーク上にオーバーレイされた環境を対象とした。1xネットワークでは、規格は、MSがどのページングパラメータを示唆することを許可されているかを制限していた。
【００８１】
しかしながら、EVDO技術は、MSと対応するBSとの間の交渉のために利用可能なアイドルモードパラメータに関して異なる。EVDO規格の下では、MS430は、そのMSが、EVDOページング間隔とWiMAXページング間隔との間の競合を回避するようにしてCDMA EVDOページングサイクルを構成することを可能にし得る、制御チャネルサイクル(CCC)を選択し得る。
【００８２】
ここでも、同期WiMAXネットワーク410では、フレーム境界が複数の基地局の間で同期しており、24ビットフレーム番号が複数の基地局の間で同時に同じであることに留意することが重要である。
【００８３】
現在のCDMA EVDO規格の下では、スロット付きアイドルモードにあるMS430が、あるCCCをリッスンし得る。各CCCは、約426.67ms持続し、各々が1.67msである256個のスロットに分割される。EVDO rev 0では、アイドル状態プロトコルにより、MS430は、5.12秒ごとに1つの制御チャネルサイクルの間、起動でき得、図11Aに示すように、5.12秒中に12個のCCC1100 0〜11が利用可能である。さらに、各CCCは、CDMAシステム時間の開始から開始するインデックスを有する。CDMA EVDOネットワーク中のMS430は、値Cが式16を満たすインデックスCをもつCCC上で起動し得る。
(C+R)mod12=0、(16)
上式で、パラメータ「R」は、CDMA規格で規定されているランダム発生アルゴリズム、または好適CCC(Preferred CCC)と呼ばれるMS好適値のいずれかによって設定され得る。
【００８４】
EVDO rev 0の下では、MS430は、好適CCCイネーブルパラメータを設定することによって、前の2つのオプションのうちの1つを選定し得る。MS430は、好適CCCを設定することを決定した場合、EVDO構成要求メッセージにおいて一般的な構成プロトコルを使用し得る。しかしながら、CDMA EVDO rev Aの下では、拡張アイドルモードプロトコルにより、MS430は、図11Bに示すように、複数の可能な期間のうちの1つの間、スリープすることができ得る。スリープ期間は、4つのスロット(またはCCCの1/64)から196,608個のスロット(または768個のCCC)までの範囲であり得る。それらの利用可能な選択肢にもかかわらず、電力消費量のために、本開示の実施形態は、1つのCCCよりも長い(すなわち、スロットサイクル値が7以上の)スリープ期間に焦点を当てる。
【００８５】
さらに、CDMA EVDO rev Aプロトコルにより、MS430は、段階的スリープ期間を用いてアイドルモードに入ることができる。たとえば、MS430は、異なる長さの3つのスリープ期間を有し得る。第1のスリープ期間Period1は1つのCCC、または426.67ミリ秒であり得、第2のスリープ期間Period2は3つのCCC、または1.28秒であり得、第3のスリープ期間Period3は6つのCCC、または2.56秒であり得る。ただし、Period3は、最終スリープ期間を表し得、本開示の残部のための参照用に使用される。Period3はCDMA EVDOスロット単位である。
【００８６】
CDMA EVDO rev Aは、続いて、MS430が、式17によって表されるCCC内のスロットにおいて起動し得ることを規定する。
[T+256*R]mod Period=Offset。(17)
これは、実際は、式16を満たすCCCインデックスCと等価であり、ただし、P=Period3/256である。Period3はEVDO rev Aの下で適切に設定され得ることに留意されたい。
【００８７】
残念ながら、WiMAXは、現在のIEEE802.16規格の下では、登録解除するときにページングサイクルを示唆するための手段をMS430に与えるにすぎない。しかしながら、前に説明したように、CDMA EVDOネットワークは、好適CCCを選択する手段をMS430に与え、それにより、MS430は、EVDOページング間隔がWiMAXページング間隔600と競合しないようにCDMA EVDOページングサイクルを構成できる。
【００８８】
図12に、本開示のいくつかの実施形態による、たとえば、マルチモードMS430が単一のRFチェーンを用いてWiMAX RATとCDMA EVDO RATの両方をリッスンすることを可能にするようにして、CDMA EVDOページングオフセットを構成するための、MS430によって実行され得る、例示的な動作1200を示す。動作1200は、たとえば、MSが、競合のない、両方のRATのページングリスニング間隔を監視することを可能にしようとして、MSによって実行され得る。
【００８９】
動作は1202において開始し、マルチモードMS430がWiMAXページングサイクルを判断する。電力消費量のために、本開示の実施形態は、1つのCCCよりも長いスリープ期間に焦点を当てるので、WiMAXページングサイクルは、WiMAXページングサイクルの期間が1.28秒の整数倍mになるように選択され得、ただし、1.28秒は3つのCCCの持続時間(または第7のスロットサイクル値に等しいスロットサイクル値に関連するスリープ期間)である。さらに、DREG-REQおよびDREG-CMDメッセージ中のPaging_Cycleフィールドは、WiMAXフレーム単位である。したがって、整数倍mは、式18によって表され得る。
【００９０】
【数５】
0005319791.tif 000006
【００９１】
ここでも、本開示の実施形態は、1つのCCCよりも長いスリープ期間に焦点を当てるので、CDMA EVDOネットワークにおけるMS430スリープ期間は式19によって表され得ると仮定することができる。
Sleep_PeriodCDMA_EVDO=1.28*n、(19)
上式で、nはセット{1、2、4、8、...}の整数である。より詳細には、EVDO rev 0ネットワークを利用する実施形態では、nは4に等しいことがあり、EVDO rev Aネットワークを利用する実施形態では、nはPeriod3/(256*3)に等しいことがある。
【００９２】
Paging_CycleWiMAXを判断し、対応する整数mおよびnを導出した後、MS430は、CDMA EVDOスリープ期間とWiMAXページングサイクルの両方に均等に分かれることができる1.28秒の最大倍数を表す整数kを判断し得る。整数kは、式20によって表されるように、mとnの最大公約数を判断することによって発見され得る。
k=g.c.d.{m,n}。(20)
kの有意性とその利用については後で説明することに留意されたい。
【００９３】
WiMAXネットワークとCDMA EVDOネットワークの両方に登録し、加入した後、MS430は、スロット単位でのCDMAシステム時間を知り得る。さらに、MS430は、図13に示すように、WiMAXページング間隔600が、どのCDMA EVDOスロットに及ぶかを知り得る。本例では、WiMAXページング間隔600は、2〜5つのWiMAXフレームからの持続時間を有する。今度は、WiMAXフレームは、CDMAスロットt1以上t2以下に及ぶ。
【００９４】
スロットt1およびt2の値を判断することにより、MS430は、WiMAXページング間隔600が、どのCCCを全体的にまたは部分的にカバーするかを判断し得る。たとえば、MS430は、式21、すなわち、
【００９５】
【数６】
0005319791.tif 000007
【００９６】
を採用して、MSがCDMA EVDOネットワークに対してアイドルモードにあるべき、最初のCDMA EVDOスロットを判断し得る。CCCSTARTは、WiMAXページング間隔の開始より前の時間T_tunewmxに対応するCCCインデックスを表すものと理解され得る。WiMAXページング間隔の開始より前にMS430がWiMAXネットワークに同調させられなければならないことを仮定すると、どのCCCがCDMA EVDOページング間隔である資格がないかを判断するときにMS430がその同調時間を考慮することは、有益であり得る。
【００９７】
さらに、MSは、式22、すなわち、
【００９８】
【数７】
0005319791.tif 000008
【００９９】
を採用して、MSがCDMA EVDOネットワークに対してアイドルモードにあるべき、最後のCDMA EVDOスロットを判断し得る。CCCENDは、MS430が、その後にCDMA EVDOページングメッセージをリッスンすることを再開し得る、CCCインデックスを表すものと理解され得る。CCCインデックスCCCENDは、WiMAXページング間隔の終了の後に、T_tuneCDMA_EVDOの値に等しい時間に発見され得る。CDMA EVDOページング間隔の開始より前にMS430がCDMA EVDOネットワークに同調させられて戻されなければならないことを仮定すると、どのCCCがCDMAページング間隔である資格がないかを判断するときにMS430がその同調時間を考慮することは、有益であり得る。
【０１００】
さらに、判断され得る変数が少なくともあと2つあり、それらの変数は、CDMA EVDOページング間隔がWiMAXページング間隔600と競合しないようにCDMA EVDOページングサイクルを構成する際に役立ち得る。たとえば、第1の変数kSTARTは式23によって定義され得る。
kSTART=CCCSTART mod(3*k)、(23)
上式で、3は、1.28秒のスリープ期間に対応する制御チャネルサイクルの数である。第2の変数kENDは、式24によって定義され得る。
kEND=CCCEND mod(3*k)。(24)
変数kSTARTおよびkENDは、MS430が1つのCCCを好適CCCとなるようにそこから選択し得る、CCCの1つまたは複数のセットを定義する際に利用され得る。
【０１０１】
CCCSTARTおよびCCCENDの値を判断した後、MS430は、MS430が1つのCCCを好適CCCとなるようにそこから選択し得る、CCCのセットAを集める際に、2つの手法のうちの1つをとり得る。第1の手法は、セットAが式25によって表され得る、比較的保守的な手法と言われることがある。
A={u+v*3*k}。(25)
【０１０２】
式25では、uは、WiMAXページング間隔と競合する可能性が低減された好適CCCをMS430がそこから選択し得る、CCCのサブセットA0を表すものと理解され得る。このサブセットA0については、以下でさらに説明する。さらに、vは、0から(n/k)-1までの範囲の数字のセットであるものと理解され得る。前記実施形態では、潜在的な好適CCCのサブセットA0は、式26によって表され得る。
A0={w}、(26)
上式で、wは、w=kSTARTおよびw=kENDを除いて、0〜3*k-1に及ぶ値の範囲である。kSTARTまたはkENDに等しいCCCインデックスをもつCCCを除外することによって、MS430は、EVDOページング間隔の開始より前にMS430がCDMA EVDOネットワークに同調させられることを確信していることがある。その上、MS430は、WiMAXページング間隔の開始より前にMS430がWiMAXネットワークに同調させられることをも確信していることがある。
【０１０３】
対照的に、CCCSTARTおよびCCCENDの値を判断した後、MS430は、サブセットA0をポピュレートする際により積極的な手法をとり、インデックスCCCSTARTをもつCCCの終了がCDMA EVDOページメッセージを有し得る確率が極めて低いと仮定し得る。したがって、MS430は、CDMA EVDOページング間隔の終結より前にWiMAXネットワークに同調することを開始し得る。この手法は、いくつかの例では、MS430への追加のアイドルモード時間を生じることがあるが、MS430が早期にWiMAXネットワークに切り替わったとき、そのMSがCDMA EVDOネットワークからのページを消失する可能性はわずかである。
【０１０４】
そのより積極的な手法を採用するために、MS430は依然として式23および式24を適用するが、潜在的なCCCのサブセットA0は、kENDに等しいCCCインデックスをもつCCCのみを除外する。
【０１０５】
MS430が好適CCCを判断した後、1206において示すように、MS430は、好適CCCを含む構成要求メッセージをCDMA EVDO BSに送信し得る。
【０１０６】
図14に、図12に示す動作が、WiMAXページング間隔との衝突を回避するCDMAページング間隔を確立するのにどのように役立ち得るかを示す。図示の例では、2.56秒のWiMAXページングサイクルを仮定する。式20を適用することによって、mの値は2であると判断される。次に、EVDOスリープ期間は、5.12秒または12個のCCCであることが示されている。このことから、4に等しい整数値nが導出され得る。セット{m,n}の最大公約数kをとると、2に等しいkが導出され得る。
【０１０７】
図14を検査することによって、CCCSTART値は0であり、CCCEND値は1であることがわかり得る。このことから、kSTARTは0に等しいと判断され得、kENDは1に等しいと判断され得る。kSTARTおよびkENDをサブセットA0のポピュレーションに適用し、保守的な手法を利用することによって、サブセットA0がCCC{2、3、4、5}でポピュレートされる。そのサブセットA0および値kを用いて、完全セットAがCCC{2、3、4、5、8、9、10、11}でポピュレートされる。対照的に、CCC=0または6の終了時にページングメッセージを受信する確率がほとんどないと仮定した場合、サブセットA0はCCC{0、2、3、4、5}でポピュレートされ、完全セットAはCCC{0、2、3、4、5、6、8、9、10、11}でポピュレートされる。
【０１０８】
図15に、(WiMAXページングサイクルを含むDREG-REQ1510を送信し、DREG-CMD1520を受信することによって)WiMAXページングサイクルを確立し、次いで、EVDOページング間隔がWiMAXページング間隔と競合しないようにCDMA EVDOページングサイクルを構成する、MS430を示す。
【０１０９】
上記で説明した方法の様々な動作は、図に示すミーンズプラスファンクションブロックに対応する様々なハードウェアおよび/またはソフトウェア構成要素および/またはモジュールによって実行され得る。概して、対応する相対ミーンズプラスファンクション図を有する図に方法が示されている場合、動作ブロックは、同様の番号付けをもつミーンズプラスファンクションブロックに対応する。たとえば、図7に示すブロック702〜706は、図7Aに示すミーンズプラスファンクションブロック702A〜706Aに対応する。同様に、図12に示すブロック1202〜1206は、図12Aに示すミーンズプラスファンクションブロック1202A〜1206Aに対応する。
【０１１０】
本明細書で使用する「判断」という用語は、多種多様なアクションを包含する。たとえば、「判断」は、計算、算出、処理、導出、調査、探索(たとえば、テーブル、データベース、または別のデータ構造中の探索)、確認などを含み得る。また、「判断」は、受信(たとえば、情報を受信すること)、アクセス(たとえば、メモリ中のデータにアクセスすること)などを含み得る。また、「判断」は、解決、選択、選定、確立などを含み得る。
【０１１１】
情報および信号は、様々な異なる技術および技法のうちのいずれかを使用して表され得る。たとえば、上記の説明全体にわたって言及され得るデータ、命令、コマンド、情報、信号などは、電圧、電流、電磁波、磁界または磁性粒子、光場または光粒子、あるいはそれらの任意の組合せによって表され得る。
【０１１２】
本開示に関連して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ信号(FPGA)または他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。プロセッサはまた、コンピューティングデバイスの組合せ、たとえば、DSPとマイクロプロセッサの組合せ、複数のマイクロプロセッサ、DSPコアと連携する1つまたは複数のマイクロプロセッサ、あるいはそのような任意の他の構成として実装され得る。
【０１１３】
本開示に関連して説明した方法またはアルゴリズムのステップは、ハードウェアで直接実施されるか、プロセッサによって実行されるソフトウェアモジュールで実施されるか、またはその2つの組合せで実施され得る。ソフトウェアモジュールは、当技術分野で知られている任意の形態の記憶媒体中に常駐し得る。使用され得る記憶媒体のいくつかの例には、RAMメモリ、フラッシュメモリ、ROMメモリ、EPROMメモリ、EEPROMメモリ、レジスタ、ハードディスク、リムーバブルディスク、CD-ROMなどがある。ソフトウェアモジュールは、単一の命令、または多数の命令を含み得、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込むことができるように、プロセッサに結合され得る。代替として、記憶媒体はプロセッサに一体化され得る。
【０１１４】
本明細書で開示する方法は、説明した方法を達成するための1つまたは複数のステップまたはアクションを含む。本方法のステップおよび/またはアクションは、特許請求の範囲から逸脱することなく互いに交換され得る。言い換えれば、ステップまたはアクションの特定の順序が指定されない限り、特定のステップおよび/またはアクションの順序および/または使用は特許請求の範囲から逸脱することなく変更され得る。
【０１１５】
説明した機能は、ハードウェア、ソフトウェア、ファームウェア、またはそれらの組合せで実装され得る。ソフトウェアで実装した場合、機能は1つまたは複数の命令としてコンピュータ可読媒体上に記憶され得る。記憶媒体は、コンピュータによってアクセスされ得る任意の利用可能な媒体でよい。限定ではなく例として、そのようなコンピュータ可読媒体は、RAM、ROM、EEPROM、CD-ROMまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を含むことができる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピー（登録商標）ディスク(disk)およびBlu-ray(登録商標)ディスク(disc)を含み、ディスク(disk)は、通常、データを磁気的に再生し、ディスク(disc)は、データをレーザで光学的に再生する。
【０１１６】
ソフトウェアまたは命令はまた、送信媒体を介して送信され得る。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、送信媒体の定義に含まれる。
【０１１７】
さらに、図に示したものなど、本明細書で説明した方法および技法を実行するためのモジュールおよび/または他の適切な手段を、モバイルデバイスおよび/または基地局が、適用可能な場合にダウンロードおよび/または他の方法で取得することができることを諒解されたい。たとえば、本明細書で説明した方法を実行するための手段の転送を可能にするために、そのようなデバイスをサーバに結合することができる。代替的に、本明細書で説明した様々な方法は、モバイルデバイスおよび/または基地局が記憶手段をデバイスに結合または提供するときに様々な方法を取得することができるように、記憶手段(たとえば、ランダムアクセスメモリ(RAM)、読取り専用メモリ(ROM)、コンパクトディスク(disc)(CD)またはフロッピー（登録商標）ディスク(disk)などの物理的記憶媒体など)によって提供され得る。さらに、本明細書で説明する方法および技法をデバイスに与えるための任意の他の適切な技法を利用することができる。
【０１１８】
特許請求の範囲は、上記に示した正確な構成および構成要素に限定されないことを理解されたい。上記で説明した方法および装置の構成、動作および詳細において、特許請求の範囲から逸脱することなく、様々な改変、変更および変形が行われ得る。
【０１１９】
上記は本開示の実施形態を対象とするが、本開示の基本的範囲から逸脱することなく、本開示の他のおよびさらなる実施形態が考案され得、本開示の範囲は、以下の特許請求の範囲によって判断される。
【符号の説明】
【０１２０】
100  ワイヤレス通信システム
100  システム
102  セル
104  基地局
106  ユーザ端末
108  ダウンリンク
110  アップリンク
112  セクタ
202  ワイヤレスデバイス
204  プロセッサ
206  メモリ
208  ハウジング
210  送信機
212  受信機
214  トランシーバ
216  アンテナ
218  信号検出器
220  デジタル信号プロセッサ(DSP)
222  バスシステム
302  送信機
304  受信機
306  データ
306'  データストリーム
308  直並列(S/P)変換器
308'  P/S変換器
310  N個の並列データストリーム
310'  N個の並列データストリーム
312  マッパー
312'  デマッパー
316  N個の並列シンボルストリーム
316'  N個の並列周波数領域シンボルストリーム
318  N個の並列時間領域サンプルストリーム
318'  N個の並列時間領域サンプルストリーム
320  逆高速フーリエ変換(IFFT)
320  IFFT構成要素
320'  高速フーリエ変換(FFT)構成要素
322  OFDM/OFDMAシンボルストリーム
322'  OFDM/OFDMAシンボルストリーム
324  並直列(P/S)変換器
324'  S/P変換器
326  ガード挿入構成要素
326'  ガード除去構成要素
328  無線周波数(RF)フロントエンド
328'  RFフロントエンド
330  アンテナ
330'  アンテナ
332  得られた信号
332  送信された信号
332'  受信された信号
334  ワイヤレスチャネル
340'  ベースバンドプロセッサ
410  同期モバイルWiMAXネットワーク
410  同期WiMAXネットワーク
410  WiMAXネットワーク
414  WiMAX基地局(BS)
420  CDMAネットワーク
420  CDMA 1xネットワーク
424  CDMA BS
424  CDMA 1x BS
430  MS
440  サービスタワー
500  CDMAページングリスニング間隔
500  ページングリスニング間隔
500  CDMA 1xページングリスニング間隔
500  CDMA 1xページング間隔
510  ページングチャネル(PCH)間隔
510  CDMA 1xページング間隔
520  高速ページングチャネル(QPCH)間隔
600  ページングリスニング間隔
600  WiMAXページングリスニング間隔
600  WiMAXページング間隔
800  T_offset
810  フレーム番号N
810  WiMAX基準点N
812  CDMAシステム時間t
1030  DREG-REQ
1040  DREG-CMD
1100  CCC
1510  DREG-REQ
1520  DREG-CMD
【図１】
0005319791.tif 000009
【図２】
0005319791.tif 000010
【図３】
0005319791.tif 000011
【図４】
0005319791.tif 000012
【図５】
0005319791.tif 000013
【図６】
0005319791.tif 000014
【図７】
0005319791.tif 000015
【図７Ａ】
0005319791.tif 000016
【図８】
0005319791.tif 000017
【図９Ａ】
0005319791.tif 000018
【図９Ｂ】
0005319791.tif 000019
【図９Ｃ】
0005319791.tif 000020
【図１０】
0005319791.tif 000021
【図１１Ａ】
0005319791.tif 000022
【図１１Ｂ】
0005319791.tif 000023
【図１２】
0005319791.tif 000024
【図１２Ａ】
0005319791.tif 000025
【図１３】
0005319791.tif 000026
【図１４】
0005319791.tif 000027
【図１５】
0005319791.tif 000028